【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】  車体に固定され、複数の透孔を備えた一対の締付け用板部を有する固定ブラケットと、前記固定ブラケットの一対の締付け用板部の間に配置されるステアリングコラムと、前記ステアリングコラム内に回転自在に設けられたステアリングシャフトと、前記ステアリングコラムに設けられ、透孔を備えた前記締付け用板部と対向する一対の板部を有する可動ブラケットと、前記固定ブラケットの締付け用板部の一方の透孔および前記可動ブラケットの板部の透孔を通して設けられる第１の軸杆部材を介して前記可動ブラケットを前記固定ブラケットの一対の締付け用板部の間に緊締する第１の締付け機構と、前記固定ブラケットの締付け用板部の他方の透孔および前記可動ブラケットの板部の透孔を通して設けられる第２の軸杆部材を介して前記可動ブラケットを前記固定ブラケットの一対の締付け用板部の間に緊締する第２の締付け機構と、前記第１および第２の締付け機構を連結して設けられ、前記第１および第２の締付け機構を連動させる連動機構とを備える位置調整式ステアリングコラム装置において、前記第１および第２の締付け機構のうち、少なくとも一方の緊締要素がカム締結機構で構成されることを特徴とする位置調整式ステアリングコラム装置。
【請求項２】  車体に固定され、透孔を備えた一対の締付け用板部を有する固定ブラケットと、前記固定ブラケットの一対の締付け用板部の間に配置されるステアリングコラムと、前記ステアリングコラム内に回転自在に設けられたステアリングシャフトと、前記ステアリングコラムに設けられ、複数の透孔を備えた前記締付け用板部と対向する一対の板部を有する可動ブラケットと、前記固定ブラケットの締付け用板部の透孔および前記可動ブラケットの板部の一方の透孔を通して設けられる第１の軸杆部材を介して前記可動ブラケットを前記固定ブラケットの一対の締付け用板部の間に緊締する第１の締付け機構と、前記固定ブラケットの締付け用板部の透孔および前記可動ブラケットの板部の他方の透孔を通して設けられる第２の軸杆部材を介して前記可動ブラケットを前記固定ブラケットの一対の締付け用板部の間に緊締する第２の締付け機構と、前記第１および第２の締付け機構を連結して設けられ、前記第１および第２の締付け機構を連動させる連動機構とを備える位置調整式ステアリングコラム装置において、前記第１および第２の締付け機構のうち、少なくとも一方の緊締要素がカム締結機構で構成されることを特徴とする位置調整式ステアリングコラム装置。
【請求項３】  前記固定ブラケットの複数の透孔のうち、少なくとも一方は縦方向の長孔であることを特徴とする請求項１記載の位置調整式ステアリングコラム装置。
【請求項４】  前記可動ブラケットの透孔は車輛進行方向に延在する長孔であることを特徴とする請求項１記載の位置調整式ステアリングコラム装置
【手続補正２】
【補正対象書類名】明細書
【補正対象項目名】００１２
【補正方法】変更
【補正の内容】
【００１２】
本発明は車体に固定され、複数の透孔を備えた一対の締付け用板部を有する固定ブラケットと、固定ブラケットの一対の締付け用板部の間に配置されるステアリングコラムと、ステアリングコラム内に回転自在に設けられたステアリングシャフトと、ステアリングコラムに設けられ、透孔を備えた締付け用板部と対向する一対の板部を有する可動ブラケットと、固定ブラケットの締付け用板部の一方の透孔および可動ブラケットの板部の透孔を通して設けられる第１の軸杆部材を介して可動ブラケットを固定ブラケットの一対の締付け用板部の間に緊締する第１の締付け機構と、固定ブラケットの締付け用板部の他方の透孔および可動ブラケットの板部の透孔を通して設けられる第２の軸杆部材を介して可動ブラケットを固定ブラケットの一対の締付け用板部の間に緊締する第２の締付け機構と、第１および第２の締付け機構を連結して設けられ、第１および第２の締付け機構を連動させる連動機構とを備える位置調整式ステアリングコラム装置において、第１および第２の締付け機構のうち、少なくとも一方の緊締要素がカム締結機構で構成されることを特徴とする。
【手続補正３】
【補正対象書類名】明細書
【補正対象項目名】００１３
【補正方法】変更
【補正の内容】
【００１３】
上記と異なる発明は透孔を備えた一対の締付け用板部を有する固定ブラケットと、固定ブラケットの一対の締付け用板部の間に配置されるステアリングコラムと、ステアリングコラム内に回転自在に設けられたステアリングシャフトと、ステアリングコラムに設けられ、複数の透孔を備えた締付け用板部と対向する一対の板部を有する可動ブラケットと、固定ブラケットの締付け用板部の透孔および可動ブラケットの板部の一方の透孔を通して設けられる第１の軸杆部材を介して可動ブラケットを固定ブラケットの一対の締付け用板部の間に緊締する第１の締付け機構と、固定ブラケットの締付け用板部の透孔および可動ブラケットの板部の他方の透孔を通して設けられる第２の軸杆部材を介して可動ブラケットを固定ブラケットの一対の締付け用板部の間に緊締する第２の締付け機構と、第１および第２の締付け機構を連結して設けられ、第１および第２の締付け機構を連動させる連動機構とを備える位置調整式ステアリングコラム装置において、第１および第２の締付け機構のうち、少なくとも一方の緊締要素がカム締結機構で構成されることを特徴とする。
【手続補正４】
【補正対象書類名】明細書
【補正対象項目名】００２０
【補正方法】変更
【補正の内容】
【００２０】
図１のＡ−Ａ線に沿う切断面を示す、図２において、固定ブラケット３は車体に取付けられる車体取付け板部１０およびこの車体取付け板部１０と一体に形成され、鉛直上下方向に延びる左右一対の締付け用板部１１ａ、１１ｂから構成される。また、可動ブラケット４はステアリングコラム１に固着されるコラム取付け用板部１２およびこのコラム取付け用板部１２と一体に形成され、鉛直上下方向に延びる左右一対の板部１３ａ、１３ｂから構成される。ステアリングコラム車輌搭載時には対峙する締付け用板部１１ａ、１１ｂの間に板部１３ａ、１３ｂが対向して取付けられ、アッパ締付け機構による締付けによってステアリングコラム１を締付け用板部１１ａ、１１ｂの間に固定する。
【手続補正５】
【補正対象書類名】明細書
【補正対象項目名】００２１
【補正方法】変更
【補正の内容】
【００２１】
また、図１のＢ−Ｂ線に沿う切断面を示す、図３において、ボックス形に形成されるコラムブラケット５は左右一対の板部１４ａ、１４ｂを備える。ステアリングコラム車輌搭載時には対峙する締付け用板部１１ａ、１１ｂの間に板部１４ａ、１４ｂが対向して取付けられ、ロア締付け機構による締付けによってステアリングコラム１を締付け用板部１１ａ、１１ｂの間に固定する。
【手続補正６】
【補正対象書類名】明細書
【補正対象項目名】００２３
【補正方法】変更
【補正の内容】
【００２３】
可動ブラケット４の一対の板部１３ａ、１３ｂには、図５（ａ）に示すテレスコピック調整用長孔１７がそれぞれ形成され、テレスコピック調整操作においてはステアリングコラム１の軸方向への摺動を自在にする。また、コラムブラケット５の一対の板部１４ａ、１４ｂには、図５（ａ）に示すテレスコピック調整用長孔１８がそれぞれ形成され、テレスコピック調整操作においてはステアリングコラム１の軸方向への摺動を自在にする。
【手続補正７】
【補正対象書類名】明細書
【補正対象項目名】００２４
【補正方法】変更
【補正の内容】
【００２４】
本実施の形態において、ステアリングコラム装置は協働するアッパおよびロア締付け機構を備える。この２つの締付け機構について再び図２および図３を参照して説明する。ステアリングコラム軸方向略中間部に配置されるアッパ締付け機構１９は、図２に示すように、頭部２０ａを有する軸杆部材２０を備える。この軸杆部材２０は固定ブラケット３の締付け用板部１１ａの長孔１５、可動ブラケット４の板部１３ａ、１３ｂの長孔１７および固定ブラケット３の締付け用板部１１ｂの長孔１５を貫通して延びる。この軸杆部材２０は頭部２０ａの一部が締付け用板部１１ｂの長孔１５との係合によって回転不能に組み付けられる。
【手続補正８】
【補正対象書類名】明細書
【補正対象項目名】００３３
【補正方法】変更
【補正の内容】
【００３３】
また、ステアリングコラム装置はスライド支持機構を備える。このスライド支持機構について再び図３を参照して説明する。スライド支持機構３５は頭部３６ａを有するピン部材３６を備える。ピン部材３６はコラムブラケット５の板部１４ａの長孔１８、スペーサ３７および固定ブラケット３の締付け用板部１１ａの透孔１６を貫通して延びる。ピン部材３６の頭部３６ａと板部１４ａとの間には樹脂製のスペーサ３８と皿ばね３９とが介装される。
【手続補正９】
【補正対象書類名】明細書
【補正対象項目名】００３４
【補正方法】変更
【補正の内容】
【００３４】
組立て時、ピン部材３６を板部１４ａ、スペーサ３７、締付け用板部１１ａに通した後、突出させたピン部材３６の先端を適当な工具を用いて半径方向に押し拡げてかしめる。これによってピン部材３６を締付け用板部１１ａに固定することができる。
【手続補正１０】
【補正対象書類名】明細書
【補正対象項目名】００５１
【補正方法】変更
【補正の内容】
【００５１】
なお、本実施の形態では固定ブラケット３の締付け用板部１１ａ、１１ｂに長孔１５を形成するものを説明したが、本発明はこれに限られず、チルト調整用長孔は可動ブラケット４の板部１３ａ、１３ｂに形成してもよい。この場合、固定ブラケット３の締付け用板部１１ａ、１１ｂには透孔を形成する。
【手続補正１１】
【補正対象書類名】明細書
【補正対象項目名】００５９
【補正方法】変更
【補正の内容】
【００５９】
ステアリングコラムの位置調整を行う場合、レバー操作で固定カム部材２１と可動カム部材２２とが相対変位して互いに近づくと、固定カム部材２１が図において右方向に動き、これに従う締付け用板部１１ｂが同様に右方向に動いてコラムブラケット５の板部１４ｂが締付け用板部１１ｂから離れる。一方、可動カム部材２２が左方向へ動き、連動してクランプ５９も左方向に動くことで、締付け用板部１１ａが板部１４ａから離れる。この結果、コラムブラケット５の締付けが解除されることによってクランプ５９に挟持されたステアリングコラム１を軸方向に摺動させることが可能になる。それによってステアリングコラム１の上下方向および前後方向位置を変えるチルト・テレスコピック位置調整が可能になる。
【手続補正１２】
【補正対象書類名】明細書
【補正対象項目名】００６０
【補正方法】変更
【補正の内容】
【００６０】
一方、位置調整を完了し、ステアリングコラム１の位置を固定する場合、レバー操作で固定カム部材２１と可動カム部材２２とが相対変位して互いに遠ざかると、固定カム部材２１が図において左方向に動き、これに従う締付け用板部１１ｂが同様に左方向に動いてコラムブラケット５の板部１４ｂが締付け用板部１１ｂと接触する。一方、可動カム部材２２が右方向へ動き、連動してクランプ５９も右方向に動くことで、締付け用板部１１ａが板部１４ｂに押し付けられる。この結果、コラムブラケット５が締付けられることによってクランプ５９に挟持されたステアリングコラム１の位置を固定することができる。